(57)【要約】【課題】  静電容量式の入力パッドを使用して表示画像に表示されているメニュー指示を簡単で且つ確実に選択してメニュー画面を表示させることができる入力装置およびコンピュータシステムを提供する。【解決手段】  静電容量型の入力パッド２１の入力面にメニュー開始領域４３，４４，４５，・・・と操作領域４２を設定する。ひとつのメニュー開始領域４４に指５０が触れると、表示画面３０のメニュー指示３４に対応するメニュー画面６０が表示される。その後指５０をＸ方向へ摺動すると、他のメニュー指示に対応するメニュー画面６０が表示され、指５０をＹ方向へ摺動すると、メニュー画面６０内の個別メニュー６１，６２，６３，・・・が順番に選択される。そして、実行操作を行うと、選択している個別メニューに対応するプログラムが実行される。【選択図】図２
2007280019.tif 000002
【特許請求の範囲】
【請求項１】
操作体で操作されたことを静電容量の変化で検出する入力パッドと、この入力パッドでの前記操作体の操作位置を検出する検出部と、前記検出部で検出された検出信号を処理する処理部とを有する入力装置において、
前記処理部では、前記入力パッドの入力面の一部の領域を、メニュー開始領域として認識可能とされており、前記メニュー開始領域が前記操作体で操作されたことが検出されたときに、アプリケーションプラグラムに基づいて画面に表示されている表示画像中のメニュー指示に対応するメニューの内容を表示するメニュー操作信号が出力され、
その後、前記入力面上で操作体が移動したことが検出されたときに、前記メニュー内の個別メニューを選択する選択信号が出力されることを特徴とする入力装置。
【請求項２】
前記処理部では、いずれかの個別メニューが選択されている状態で、前記入力パッドがタッピング操作されたときに、選択された個別メニューに対応するプログラムを実行させる実行信号を出力する請求項１記載の入力装置。
【請求項３】
前記処理部では、いずれかの個別メニューが選択されている状態で、前記入力パッド以外のキー入力部が押圧操作されたときに、選択された個別メニューに対応するプログラムを実行させる実行信号を出力する請求項１記載の入力装置。
【請求項４】
前記入力パッドには、前記表示画像に指示されているメニュー指示の数に対応した数の前記メニュー開始領域を、前記メニュー指示の配置方向と同じ方向に配列させて設定可能であり、いずれかの前記メニュー開始領域が操作体で操作されたことが検出されたときに、操作されたメニュー開始領域に対応する位置にあるメニュー指示のメニュー内容が表示される請求項１ないし３のいずれかに記載の入力装置。
【請求項５】
いずれかのメニュー指示に対応するメニューの内容が表示されている状態で、操作体の操作位置がメニュー開始領域の配列方向へ移動したときに、他のメニュー指示に対応するメニューの内容が表示される請求項４記載の入力装置。
【請求項６】
いずれかのメニュー指示に対応するメニューの内容が表示されているときに、前記入力面が、前記操作体により、メニュー開始領域の配列方向と交差する方向へ操作されたことが検出されたときに、表示されているメニュー内の個別メニューを選択する選択信号が出力される請求項４または５記載の入力装置。
【請求項７】
前記処理部は、前記メニュー開始領域が操作されたことが検出されたときに、メニュー選択モードとなり、このメニュー選択モードが設定されているときには、前記入力面が操作体で操作されても、画面に表示されているポインタが移動しない請求項１ないし６のいずれかに記載の入力装置。
【請求項８】
前記入力パッド以外のキー入力部を押圧操作することにより、前記メニュー選択モードが解除される請求項７記載の入力装置。
【請求項９】
前記請求項１ないし８のいずれかに記載の入力装置と、前記前記処理部からの信号が与えられるオペレーティングシステムと、前記オペレーティングシステムの制御動作により、前記画像表示を映す表示部とを有することを特徴とするコンピュータシステム。
【発明の詳細な説明】
【技術分野】
【０００１】
本発明は、静電容量式の入力パッドを使用して、表示画面においてアクティブとなっている表示画像（ウインドウ）内に指示されているメニューの選択操作を容易にした入力装置およびこの入力装置を使用したコンピュータシステムに関する。
【背景技術】
【０００２】
ブック型などのパーソナルコンピュータの操作盤には、キーボード装置の手前側に静電容量式の入力パッドが設けられ、さらに入力パッドの手前側には左側にＬキーが、右側にＲキーが設けられている。
【０００３】
前記入力パッドは、絶縁シートを介して複数のＸ電極と複数のＹ電極が設けられ、前記Ｘ電極とＹ電極には順番に電位が与えられる。入力パッドの表面は絶縁性のカバーで覆われており、このカバーの表面に導電体である指が触れると、指が触れた位置またはその近傍に位置して電位が与えられる電極とこの電極に隣接する電極との間の静電容量が変化し、その結果、Ｘ−Ｙ座標上のどの位置において指が入力パッドに触れたかを検出することができる。
【０００４】
この入力パッドは通常はマウス入力装置の代わりに使用され、入力パッドの表面に接触させた指を移動させることにより、画面に表示されているポインタが移動させられる。また、入力パッドは、指で操作した位置をＸ−Ｙ座標上で認識することが可能であるため、以下の特許文献１に記載されているように、入力パッドの入力面の所定の領域を特定領域とし、この特定領域をタッピング操作することなどで、特定の操作信号を入力できるようにすることが可能である。
【特許文献１】特開２００５−１３５４４１号公報
【発明の開示】
【発明が解決しようとする課題】
【０００５】
前記入力パッドの入力面に設定された特定の領域を操作することで設定されるモードとしては、従来、オートスクロール設定、イージーランチャ設定、プログラム起動設定、クリック操作設定などが主であった。
【０００６】
一方、表示画面に表示されているアクティブ状態の表示画像（ウインドウ）のメニューバーに表示されているメニュー指示に対応したメニューの内容を表示させるためには、入力パッドを指で操作して、画面に表示されているポインタを前記メニュー指示の位置まで移動させることが必要である。そして、ポインタの位置を動かすことなく入力パッドをタッピングすることで、メニュー指示に対応するプルダウンメニューが開かれる。さらに入力パッドを指で操作して、ポインタを移動させ、このポインタをプルダウンメニュー内の個別メニューに合わせることで、前記個別メニューが選択される。さらに、個別メニューに対応するプログラムを実行させるためには、ポインタを選択した個別メニュー上から動かすことなく、入力パッドの入力面をタッピングする操作が必要である。
【０００７】
このように、従来の入力パッドを使用して個別メニューに対応するプログラムを実行させるためには、常に画面に表示されているポインタをメニュー指示や個別メニューに一致させることが必要である。そのため、メニュー選択のための操作が煩雑であり、例えばメニューバーに多数のメニュー指示が表示されている場合に、入力パッドを操作したときに、ポインタがメニュー指示の位置からずれてしまい、開こうとしているプルダウンメニュー以外のメニューが開くなどの問題が発生しやすい。
【０００８】
本発明は上記従来の課題を解決するものであり、入力パッドをメニュー選択モードで動作させることを可能として、メニューバー内のメニュー指示の選択や、プルダウンメニューの選択などを容易に且つ確実に行うことができる入力装置およびこの入力装置を使用したコンピュータシステムを提供することを目的としている。
【課題を解決するための手段】
【０００９】
本発明は、操作体で操作されたことを静電容量の変化で検出する入力パッドと、この入力パッドでの前記操作体の操作位置を検出する検出部と、前記検出部で検出された検出信号を処理する処理部とを有する入力装置において、
前記処理部では、前記入力パッドの入力面の一部の領域を、メニュー開始領域として認識可能とされており、前記メニュー開始領域が前記操作体で操作されたことが検出されたときに、アプリケーションプラグラムに基づいて画面に表示されている表示画像中のメニュー指示に対応するメニューの内容を表示するメニュー操作信号が出力され、
その後、前記入力面上で操作体が移動したことが検出されたときに、前記メニュー内の個別メニューを選択する選択信号が出力されることを特徴とするものである。
【００１０】
本発明の入力装置では、入力パッドの入力面に設定されたメニュー開始領域に、指などの操作体を触れることで、メニュー指示に対応するメニューの内容を表示させることができる。したがって、入力パッドを操作して画面に表示されているポインタをメニュー指示の位置に合わせるという操作が不要になる。また、いずれかのメニューの内容が表示されているときには、入力パッド上で操作体を移動させる操作により、メニュー内の個別メニューを選択することができる。このときも、ポインタを個々の個別メニューの位置に合わせることが不要になる。よって、ポインタを、メニュー指示や個別メニューの狭い領域に合わせる必要が無く、容易に且つ確実に個別メニューの選択が可能となる。
【００１１】
本発明は、前記処理部では、いずれかの個別メニューが選択されている状態で、前記入力パッドがタッピング操作されたときに、選択された個別メニューに対応するプログラムを実行させる実行信号を出力するものである。あるいは、前記処理部では、いずれかの個別メニューが選択されている状態で、前記入力パッド以外のキー入力部が押圧操作されたときに、選択された個別メニューに対応するプログラムを実行させる実行信号を出力するものである。
【００１２】
個別メニューを選択してプログラムを実行する際においても、ポインタを個別メニュー上に固定させておく必要がないため、個別メニューに対応するプログラムを確実に起動できる。
【００１３】
本発明は、好ましくは、前記入力パッドには、前記表示画像に指示されているメニュー指示の数に対応した数の前記メニュー開始領域を、前記メニュー指示の配置方向と同じ方向に配列させて設定可能であり、いずれかの前記メニュー開始領域が操作体で操作されたことが検出されたときに、操作されたメニュー開始領域に対応する位置にあるメニュー指示のメニュー内容が表示される。
【００１４】
上記入力装置では、複数のメニュー開始領域のいずれかを指などで操作することで、複数のメニュー指示のうちのいずれかを選択して、このメニュー指示に対応するメニューの内容を表示することが可能である。
【００１５】
本発明では、いずれかのメニュー指示に対応するメニューの内容が表示されている状態で、操作体の操作位置がメニュー開始領域の配列方向へ移動したときに、他のメニュー指示に対応するメニューの内容が表示されるものとすることが可能である。
【００１６】
上記手段では、いずれかのメニュー指示に対応するメニューが表示されている状態で、指などの操作体を移動させるだけで、他のメニュー指示に対応するメニューの内容を表示させることが可能である。
【００１７】
さらに本発明は、いずれかのメニュー指示に対応するメニューの内容が表示されているときに、前記入力面が、前記操作体により、メニュー開始領域の配列方向と交差する方向へ操作されたことが検出されたときに、表示されているメニュー内の個別メニューを選択する選択信号が出力されることが好ましい。
【００１８】
上記入力装置では、いずれかのメニュー指示に対応するメニュー内容が表示されているときに、指を前後方向などへ移動させる操作で、個別メニューの選択ができる。この場合、入力パッドのほぼ全域を使用することにより、画面に多数の個別メニューが狭いピッチで並んでいても、個々の個別メニューを順番に確実に選択できる。この場合も、従来のように、ポインタを狭い領域の個別メニューの位置に合わせる操作が不要である。
【００１９】
さらに本発明は、前記処理部は、前記メニュー開始領域が操作されたことが検出されたときに、メニュー選択モードとなり、このメニュー選択モードが設定されているときには、前記入力面が操作体で操作されても、画面に表示されているポインタが移動しないものとして構成される。
【００２０】
すなわち、本発明の入力装置は、メニュー開始領域が操作されたときに、メニュー選択モードの専用モードへ移行する。よって、従来のマウス入力装置と同様の操作を行うときのように、ポインタを、メニュー指示や個別メニューに一致させることが不要である。
【００２１】
この場合に、例えば前記入力パッド以外のキー入力部を押圧操作することにより、前記メニュー選択モードが解除されることが好ましい。キー入力部を操作することにより、確実にメニュー選択モードを解除させることができる。
【００２２】
さらに、本発明は、前記いずれかの入力装置と、前記処理部からの信号が与えられるオペレーティングシステムと、前記オペレーティングシステムの制御動作により、前記画像表示を映す表示部とを有することを特徴とするコンピュータシステムである。
【発明の効果】
【００２３】
本発明の入力装置およびこの入力装置を使用したコンピュータシステムでは、静電容量式の入力パッドを使用して、アクティブ状態のウインドウなどの表示画像内のメニュー指示の選択や、個別メニューの選択を容易に且つ確実に行うことができる。また、メニュー指示や個別メニューの表示部分にポインタを合わせることが不要であり、複数配列したメニュー指示や個別メニューの選択も少ないミスで確実に行うことができる。
【発明を実施するための最良の形態】
【００２４】
図１（Ａ）は、本発明の第１の実施の形態において、コンピュータシステムの画面に表示されている表示画像の一例を示し、図１（Ｂ）は、キーボード装置の手前側に配置された入力パッドおよびＬキーとＲキーを示す平面図である。図２（Ａ）は、第１の実施の形態において、メニュー画面が表示されている状態を示し、図２（Ｂ）はそのときの入力パッドの操作状態を示す平面図である。図４は、入力装置およびコンピュータシステムの構成を示すブロック図である。
【００２５】
図４に示すコンピュータシステムは、ＰＣ本体１とキーボード装置１１および静電容量式の入力パッド２１を有している。
【００２６】
キーボード装置１１は、縦横に複数に配列したキー入力部を有している。それぞれのキー入力部は、押し釦と、この押し釦の押圧操作でＯＦＦからＯＮに切換えられるキースイッチとを有している。またキーボード装置１１には駆動検出部１２が設けられている。この駆動検出部１２は、それぞれのキースイッチに電圧を与える電源回路と、いずれかのキースイッチがＯＦＦからＯＮに切換えられたときの電流を検出する検出回路を有している。さらに、どのキースイッチがＯＮに切換わったかを認識し、ＯＮに切換えられたキースイッチに特有のコードを用いて、所定のフォーマット信号を生成してＰＣ本体１に送るＣＰＵを有している。
【００２７】
ＰＣ本体１内のＣＰＵおよびメモリを有する制御部には、キーボード用ドライバ１４が設けられている。このキーボード用ドライバ１４は前記制御部内にインストールされたソフトウエアである。前記駆動検出部１２とキーボード用ドライバ１４は、ＵＳＢなどの入出力インターフェース１３を介して接続されている。キーボード用ドライバ１４から駆動検出部１２に対して一定の時間を空けて繰り返しポーリングがかけられ、駆動検出部１２からは、そのポーリングに応答して前記フォーマット信号がキーボード用ドライバ１４に与えられる。
【００２８】
前記入力パッド２１は静電容量の変化を検出するものであり、所定の誘電率を有する絶縁性の基板の一方の面に複数のＸ電極が平行に設けられ、他方の面に前記Ｘ電極と直交する複数のＹ電極が互いに平行に形成されている。また隣り合うＸ電極の間、または隣り合うＹ電極の間には、検出電極が設けられ、この検出電極は、隣り合うＸ電極またはＹ電極に等間隔を空けて互いに平行に複数本設けられている。また、入力パッド２１の最表面には、樹脂フィルムなどのカバーが設けられている。
【００２９】
入力パッド２１には駆動検出部２２が設けられている。この駆動検出部２２には、前記Ｘ電極を順番に選択して、選択されたＸ電極に電位を与え、選択されていないＸ電極を接地電位とするＸドライバーと、Ｘ電極の選択とは異なるタイミングでＹ電極を順番に選択して、選択されたＹ電極に電位を与え、選択されていないＹ電極を接地電位とするＹドライバーとを有している。
【００３０】
さらに、駆動検出部２２には、導電性の操作体である指が前記カバーに触れたときに、電位が与えられたＸ電極またはＹ電極と、これに隣接する検出電極との間の静電容量の変化を、電極間の電圧変化に応じて検出する検出回路を有している。駆動検出部２２に設けられたＣＰＵは、どのＸ電極が選択されているか、どのＹ電極が選択されているかの情報と、選択された電極と検出電極間の電圧変化の検出値とから、操作体が触れた位置をＸ−Ｙ座標上で特定する。このＣＰＵの制御に基づいて、駆動検出部２２に設けられたフォーマット部で、Ｘ座標位置データとＹ座標位置データを含む所定のフォーマットの検出データ（検出信号）が生成され、この検出データが出力される。
【００３１】
図１（Ｂ）に示す入力パッド２１は、コンピュータシステムの操作盤において、前記キーボード装置１１よりも手前側に設けられているが、さらに入力パッド２１の手前側には、キー入力部として左側にＬキー入力部２３が、右側にＲキー入力部２４が設けられている。Ｌキー入力部２３とＲキー入力部２４は、共に押し釦と、押し釦の押圧操作によりＯＦＦからＯＮに切換えられるキースイッチとを有している。それぞれのキースイッチの検出出力は、前記駆動検出部２２に与えられ、駆動検出部２２から出力される検出データ（検出信号）には、前記Ｘ座標位置データおよび前記Ｙ座標位置データに加え、さらにＬキー入力部２３とＲキー入力部２４の操作信号が加えられてＰＣ本体１に出力される。
【００３２】
図４に示すように、ＰＣ本体１内のＣＰＵおよびメモリを有する制御部には、入力パッド用ドライバ２５が設けられている。この入力パッド用ドライバ２５は前記制御部内にインストールされたソフトウエアである。前記入力パッド用の駆動検出部２２と入力パッド用ドライバ２５は、ＵＳＢなどの入出力インターフェース２６を介して接続されている。入力パッド用ドライバ２５から駆動検出部２２に対して一定の時間を空けて繰り返しポーリングがかけられ、駆動検出部２２からは、そのポーリングに応答して前記フォーマット信号が入力パッド用ドライバ２５に与えられる。前記キーボード用ドライバ１４と入力パッド用ドライバ２５は、互いに関連して動作するものである。
【００３３】
図４に示すように、ＰＣ本体１内の前記制御部には、所定の規格のオペレーティングシステム（ＯＳ）２８が設けられている。このＯＳ２８は、前記制御部にインストールされたソフトウエアである。ＰＣ本体１内には、各種アプリケーションプログラムがインストールされて格納される記憶部が設けられており、この記憶部に格納されたアプリケーションプログラムが、ＯＳ２８で選択され、ＯＳ２８により起動され実行される。
【００３４】
ＰＣ本体１には、液晶表示装置などの表示画面を有する表示部が設けられており、ＰＣ本体１内に設けられた表示ドライバ２９が、前記ＯＳ２８により制御され、表示ドライバ２９によって、前記表示画面に表示画像が映し出される。
【００３５】
この実施の形態では、キーボード用ドライバ１４と入力パッド用ドライバ２５およびＯＳ２８が、駆動検出部１２または駆動検出部２２から与えられた検出データ（検出信号）を処理する処理部として機能している。また、キーボード装置１１と駆動検出部１２、入力パッド２１と駆動検出部２２、入出力インターフェース１３，２６、およびキーボード用ドライバ１４と入力パッド用ドライバ２５とで、入力装置が構成されている。
【００３６】
図１（Ａ）は、表示画面に映し出された表示画像３０の一例を示している。この表示画像３０は、いずれかのアプリケーションプログラムの実行に伴ない、ＰＣ本体１内のＯＳ２８の制御処理により表示ドライバ２９が制御されて表示されるものである。また、表示画面には、ポインタ３１が表示されている。
【００３７】
図４に示す入力パッド用ドライバ２５が、通常の座標入力モードに設定されているときには、入力パッド２１の入力面２１ａが操作体である指５０で操作されると、入力パッド用ドライバ２５からＯＳ２８にマウス制御信号が与えられる。この通常の座標入力モードでは、入力面２１ａに指５０が接触したことが駆動検出部２２で検出されると、駆動検出部２２では、指５０の接触位置がＸ−Ｙ座標上での絶対座標位置として認識される。
【００３８】
よって、入力パッド用ドライバ２５からのポーリングに対して、指５０が接触している位置を示しているＸ座標位置データとＹ座標位置データとを含む絶対座標データである検出データ（検出信号）が入力パッド用ドライバ２５に与えられる。通常の座標入力モードでは、入力パッド用ドライバ２５において、絶対座標データの検出データが相対座標データのマウス制御信号に変換されてＯＳ２８に与えられる。相対座標データは、指５０を入力面２１ａに触れて摺動させたときに、その移動方向と移動距離を示すデータであり、マウス入力装置から与えられるマウス入力信号をエミュレートした信号である。
【００３９】
ＯＳ２８に前記相対座標データの信号が与えられると、この信号に基づいて表示ドライバ２９が制御され、表示画面に表示されている前記ポインタ３１が移動する。ポインタ３１の移動方向は、入力面２１ａ上での指５０の移動方向に応じて決められ、ポインタ３１の移動距離は、入力面２１ａ上での指５０の移動距離に応じて決められる。
【００４０】
入力パッド用ドライバ２５が通常の座標入力モードで動作しているときに、表示画像３０の上部のメニューバー３２に表示されている個々のメニュー指示３３，３４，３５，３６，３７を選択するためには、入力面２１ａで指５０を摺動させ、ポインタ３１を移動させて、このポインタ３１を選択すべきメニュー指示と重なる位置に一致させる。そして、指５０を動かさず、ポインタ３１が選択されたメニュー指示に一致している状態を継続させたままで、指５０で入力面２１ａをタッピングする（指を入力面２１ａに素早く接触させその直後に離す）。あるいは、Ｌキー入力部２３を操作する。この操作により、選択されたメニュー指示に対応するメニュー画面を表示させることができる。
【００４１】
この入力装置およびコンピュータシステムでは、入力パッド用ドライバ２５の動作モードを、専用モードである「メニュー選択モード」として動作させることとができる。前記メニュー選択モードでの動作を可能とするために、入力面２１ａの所定箇所に「メニュー開始領域群４１」がエリア設定される。
【００４２】
このときの設定は、表示画面上でコントロールパネルの設定画面を表示させ、入力パッド用ドライバ２５を起動して、この入力パッド用ドライバ２５の管理画面を表示させる。この管理画面を表示させた状態で、キーボード装置１１を操作し、または、通常の座標入力モードで動作している入力パッド２１を指５０で操作して、管理画面上に設けられた「メニュー選択モード」の選択欄にマークを記入する。さらに、メニュー開始領域群４１を、入力面２１ａの上縁２１ｂに沿う領域に設定するか、入力面２１ａの下縁２１ｃに沿う領域に設定するかの選択項目を入力する。
【００４３】
図１（Ｂ）は、入力面２１ａの上縁２１ｂに沿う領域にメニュー開始領域群４１が設定された状態を示している。メニュー開始領域群４１は、入力面２１ａにおいて、上縁２１ｂに沿ってＸ方向の全域に設定される。このとき、入力面２１ａでは、メニュー開始領域群４１以外の領域が、操作領域４２となる。メニュー開始領域群４１のＹ方向の幅寸法よりも、操作領域４２のＹ方向の幅寸法の方が広くなるように設定される。また、前記管理画面において、前記メニュー開始領域群４１のＹ方向の幅寸法を任意に変更できるようにしてもよい。
【００４４】
前記メニュー開始領域群４１がエリア設定されると、メニュー開始領域群４１は「メニュー選択モード」を設定するための専用エリアとして使用される。また、「メニュー選択モード」が設定されていないときに、前記操作領域４２を指５０で操作すると、入力パッド用ドライバ２５が通常の座標入力モードで動作し、前記操作領域４２に触れた指５０を摺動させると、その摺動方向と摺動距離に対応して、表示画面に表示されているポインタ３１が移動する。また、「メニュー選択モード」が設定されていないときに、操作領域４２を指５０でタッピング操作すると、マウス入力装置のクリック釦を操作したのと同じ検出データが生成される。
【００４５】
図１（Ｂ）に示すように、前記メニュー開始領域群４１内は、複数のメニュー開始領域４３，４４，４５，４６，４７に区画される。この区画は、図１（Ａ）に示すように、アプリケーションプログラムを起動し、表示画面で表示画像（ウインドウ）３０をアクティブ状態とすることにより、自動的に設定される。
【００４６】
前記管理画面においてメニュー選択モードの動作が可能となるように設定し、前記メニュー開始領域群４１をエリア設定した状態で、いずれかのアプリケーションプログラムを起動し、表示画面に表示されている表示画像３０がアクティブな状態となると、ＯＳ２８から入力パッド用ドライバ２５に、アクティブとなっている表示画像３０に関する情報が与えられる。入力パッド用ドライバ２５では、前記情報に基づいて、メニュー開始領域群４１内に複数のメニュー開始領域を割り振る。図１（Ａ）に示す表示画像３０がアクティブ状態であると、この表示画像３０では、画像上方のメニューバー３２に、５箇所のメニュー指示３３，３４、３５，３６，３７が表示されているため、この場合、図１（Ｂ）に示すように、入力パッド２１のメニュー開始領域群４１には、５箇所に区画されたメニュー開始領域４３，４４，４５，４６，４７が設定される。
【００４７】
入力パッド２１から入力パッド用ドライバ２５には絶対座標データが与えられるため、入力パッド用ドライバ２５では、入力パッド２１の入力面２１ａの各位置をＸ−Ｙ座標で認識することができる。よって、例えば指５０が入力パッド２１の入力面２１ａのメニュー開始領域４３に触れたときには、入力パッド用ドライバ２５では、指５０の接触位置がＸ−Ｙ座標上での絶対座標データとして認識され、指５０が接触している箇所の座標データを分析することにより、指５０がメニュー開始領域４３に触れたことを認識できる。
【００４８】
なお、表示画像３０のメニューバー３２に設定されているメニュー指示の数と、メニュー開始領域群４１内に区画するメニュー開始領域の数は同じ数であり、表示画像３０のメニュー指示の数が例えば８箇所に設定されている場合には、その表示画像（ウインドウ）がアクティブになった時点で、メニュー開始領域群４１内でのメニュー開始領域の区画数が８区画に設定される。
【００４９】
前述のように、表示画像（ウインドウ）３０がアクティブ状態のときには、メニュー開始領域群４１内に指５０を触れない限り、操作領域４２は、通常の座標入力モードで使用される。
【００５０】
図２（Ａ）（Ｂ）は、入力パッド用ドライバ２５が、メニュー選択モードで動作している状態を示している。図２（Ａ）（Ｂ）では、例えば、入力面２１ａのメニュー開始領域群４１内の左から２番目のメニュー開始領域４４が操作されてメニュー選択モードが設定され、表示画像３０では、左から２番目のメニュー指示３４に対応するメニュー画面６０が表示された状態を例として示している。
【００５１】
前記メニュー選択モードは、入力面２１ａに触れている指５０を、いずれかのメニュー開始領域に移動させ、その後に指５０を、そのメニュー開始領域から離した後に一定時間（例えば０．１〜１秒間程度）経過することで設定される。あるいは、入力面２１ａに触れている指５０をいずれかのメニュー開始領域に移動させ、その位置で指を一定時間停止させる（例えば１秒程度）ことによりメニュー選択モードが設定される。または、指でいずれかのメニュー開始領域を１回タッピングし（ワンタッピング操作）、または２回タッピングする（ダブルタッピング）ことでメニュー選択モードが設定される。
【００５２】
前記メニュー選択モードが設定されると、その解除操作を行わない限り、メニュー選択モードが解除されることなく継続する。前記解除操作は、例えばＲキー入力部２４の押し釦を押すことで行われる。またはＬキー入力部２３とキーボード装置１１のいずれかの押し釦を操作することにより、メニュー選択モードが解除されてもよい。または、入力面２１ａのメニュー開始領域４４をワンタップすることでメニュー選択モードが設定され、メニュー開始領域４４をダブルタッピングすることでメニュー選択モードが解除されてもよい。
【００５３】
前記メニュー選択モードが設定されると、入力パッド用ドライバ２５からＯＳ２８にメニュー操作信号が出力され、ＯＳ２８の制御動作により、選択されたメニュー指示に対応するメニュー画面が表示される。入力面２１ａの、メニュー開始領域４３を指５０で操作してメニュー選択モードが設定されると、表示画像３０の最も左に表示されているメニュー指示３３に対応するメニュー画面６０が表示される。また、メニュー開始領域４４を指５０で操作してメニュー選択モードが設定されると、表示画像３０の左から２番目のメニュー指示３４に対応するメニュー画面６０が表示される。このように、入力面２１ａに設定されたメニュー開始領域４３，４４，４５，４６，４７と、画像表示３０のメニュー指示３３，３４，３５，３６，３７は、一対一に対応している。ただし、以下では、メニュー開始領域４４が操作されてメニュー選択モードが設定され、メニュー指示３４に対応するメニュー画面６０が表示されたときを例として説明する。
【００５４】
メニュー画面６０は、メニュー選択モードが解除されるまで継続して表示され、解除されない限りメニュー開始領域４４から指を離しても、メニュー画面６０は表示され続けている。
【００５５】
メニュー画面６０は、プルダウンメニューまたはドロップダウンメニューと称されるものであり、このメニュー画面６０内には、上下に複数の個別メニュー６１，６２，６３，・・・が表示されている。図２（Ａ）では、メニュー指示３３，３４，３５，・・・を単に「メニューＡ」「メニューＢ」などと標記しているが、実際の表示画像（ウインドウ）３０では、メニュー指示３３，３４，３５，・・・が「ファイル」「編集」「表示」「書式」「ツール」「ヘルプ」などとして表示される。また、図２（Ａ）では、前記メニュー画面６０に表示される個別メニュー６１，６２，６３，・・・を「プルダウン１」「プルダウン２」「プルダウン３」・・・などと標記しているが、実際の表示画像３０では、前記個別メニュー６１，６２，６３，・・・は、メニュー指示に対応するものであり、例えば、メニュー指示３４が「編集」の場合には、個別メニュー６１，６２，６３，・・・として、「入力」「貼り付け」「検索」「置換」「ジャンプ」「日本語入力」「ユーザ設定」「オプション」「終了」などの各項目が表示される。
【００５６】
入力パッド用ドライバ２５が、メニュー選択モードに設定されると、表示画面に表示されているポインタ３１は、例えば選択されたメニュー指示３４と重なる位置へ自動的に移動する。そして、メニュー選択モードが設定されている間（メニュー画面６０が表示されている間）は、操作領域４２に指５０を触れて、操作領域４２内で摺動させても、ポインタ３１の位置は動かない。すなわち、入力パッド用ドライバ２５では、前記メニュー選択モードが設定されると、このメニュー選択モードが解除されるまでの間、操作領域４２で指５０を摺動させたときの検出データを、通常の座標入力データとして取り扱わない。
【００５７】
次に、メニュー画面６０が表示されている状態で、入力面２１ａの操作領域４２内で、指５０を、メニュー開始領域４３，４４，４５，４６，４７の配列方向と交叉する方向、好ましくは前記配列方向と直交するＹ方向へ摺動させると、メニュー画面６０内の個別メニューが順に選択される。いずれかの個別メニューが選択されると、入力パッド用ドライバ２５からＯＳ２８に個別メニューの選択信号が与えられ、ＯＳ２８の処理動作により、選択された個別メニューが他の個別メニューと識別できる色彩や濃度でハイライト表示される。例えば、操作領域４２内で、指５０をＹ２方向へ摺動させると、メニュー画面６０内の個別メニューが最上部の個別メニュー６１から下に向けて順番に選択され、指５０をＹ１方向へ摺動させると、メニュー画面６０内の個別メニューが最下部の個別メニュー６７から上に向けて順番に選択される。
【００５８】
この際、指５０を摺動させたときに入力パッド２１で検出されるＸ−Ｙ座標上の絶対座標データは、入力パッド用ドライバ２５では、指５０の摺動位置をＹ方向への相対座標データとして認識する。よって、操作領域４２のどの箇所を始点として指５０をＹ方向へ移動させても、個別メニューを順番に選択することができる。この個別メニューの選択操作は、操作領域のいずれかの箇所に指５０を当ててＹ方向へ摺動させることで行われるため、通常の座標入力モードで個別メニューを選択するときの操作、すなわちポインタを各個別メニューに位置合わせして個別メニューを選択する操作に比べて、個別メニューを迅速で且つ確実に選択できる。
【００５９】
なお、個別メニュー６１，６２，６３，・・・のいずれかが選択されてハイライト表示されているときに、指５０を操作領域４２から離しても、選択された個別メニューのハイライト表示、すなわち個別メニューが選択された状態を継続する。いずれかの個別メニューが選択されている状態で、指５０を操作領域４２から離し、その後に再度指５０を操作領域４２に触れて、Ｙ１方向へ摺動させると、それまで選択されていた個別メニューを起点として、その上に並ぶ個別メニューが下から順番に選択されていく。逆に、再度指５０をＹ２方向へ摺動させると、それまで選択されていた個別メニューを起点として、その下に並ぶ個別メニューが上から順番に選択されていく。
【００６０】
次に、選択された個別メニューに対応するプログラムを実行させるときは、選択した個別メニューがハイライト表示されている状態で、Ｌキー入力部２３を押圧操作する。またはＲキー入力部２４やキーボード装置１１のいずれかのキー入力部を押圧操作する。あるいは、操作領域４２のいずれかの箇所において、指５０でワンタッピング操作し、またはダブルタッピング操作することで、個別メニューに対応するプログラムを実行させてもよい。前記実行操作が行われると、入力パッド用ドライバ２５からＯＳ２８に実行信号が与えられ、ＯＳ２８の処理動作により、選択した個別メニューに対応するプログラムが実行される。このプログラムの実行により、入力パッド用ドライバ２５では、メニュー選択モードの設定が解除される。
【００６１】
また、図２（Ａ）に示すように、例えばメニュー指示３４に対応するメニュー画面６０が表示されている状態で、他のメニュー指示に対応するメニュー画面を開く操作は、メニュー選択モードを解除することなく、入力面２１ａのメニュー開始領域群４１内に区画されている他のメニュー開始領域に指５０を触れることで行なうことができる。
【００６２】
例えば、メニュー指示３４に対応するメニュー画面６０が表示されている状態で、指５０を、メニュー開始領域群４１内でＸ１方向へ所定距離以上移動させると、右となりのメニュー指示３５に対応するメニュー画面６０が代わって表示され、さらに指５０を、メニュー開始領域群４１内でＸ１方向へ所定距離以上移動させると、メニュー指示３６に対応するメニュー画面６０が代わって表示される。このように、異なるメニュー指示に対応するメニュー画面６０が切換えられて順番に表示されていく。また、指５０をメニュー開始領域群４１内で、Ｘ２方向へ移動させると、現在表示されているメニュー画面に対向するメニュー指示の左となりのメニュー指示に対応するメニュー画面６０が切換えられて順番に表示される。
【００６３】
あるいは、図２（Ａ）に示すように、メニュー指示３４に対応するメニュー画面６０が表示されているときに、指５０で、他のメニュー開始領域、例えばメニュー開始領域４５を１回タッピングし（ワンタッピング操作）、または２回タッピングする（ダブルタッピング）ことで、メニュー指示３５に対応するメニュー画面６０に切換えられて表示されるようにしてもよい。
【００６４】
図２（Ａ）に示すように、メニュー選択モードが設定されてメニュー画面６０が表示されている状態で、いずれかの個別メニューに対応する補助メニューを選択することができる。図２（Ａ）では、上から３番目の個別メニュー６２に対応する補助メニュー画面７０が表示されている状態を例として示している。
【００６５】
この補助メニュー画面７０は、前記操作により個別メニュー６２を選択しているときにのみ、この個別メニュー６２のハイライト表示に付随して自動的に表示される。この補助メニュー画面７０内の補助メニュー７１，７２，７３を選択するときは、補助メニュー画面７０が表示されているときに、操作領域４２において指５０をＸ１方向へ所定距離摺動させる。この操作により、補助メニュー画面７０内の最上部の補助メニュー７１が選択され、入力パッド用ドライバ２５からＯＳ２８に補助メニュー選択信号が与えられ、ＯＳ２８の処理動作により、選択された補助メニュー７１が他のメニューと異なる色彩や濃度でハイライト表示される。補助メニュー画面７０内の他の補助メニューを選択するときには、操作領域４２内に触れた指５０をＹ２方向へ摺動させる。この操作により、補助メニュー画面で、補助メニューが７１，７２，７３の順番で上から下に向けて順に選択される。また途中から指５０をＹ１方向へ摺動させると、補助メニューが上に向けて順番に選択されていく。選択されている補助メニューに対応するプログラムを実行させる操作は、前記個別メニューに対応するプログラムの実行操作と同じである。
【００６６】
また、補助メニュー画面７０内の補助メニューの選択動作を止めて、メニュー画面６０内の個別メニューの選択を再開するときには、操作領域４２内で指５０をＸ２方向へ摺動させる。この操作により、再び補助メニュー画面７０に隣接している個別メニュー６２が選択されて、ハイライト表示される。
【００６７】
図５と図６は、前述したメニュー選択モードの設定や個別メニューの選択などの動作を行う際の制御フローの一例を示している。この制御フローは、処理部すなわち入力パッド用ドライバ２５およびＯＳ２８の制御処理により実行される。図５と図６では「ステップ」を「ＳＴ」として表示する。
【００６８】
図５に示すＳＴ１において、入力パッド２１の入力面２１ａのいずれかの箇所に指５０が触れたか否かを監視する。入力パッド用ドライバ２５から駆動検出部２２へのポーリングにより、駆動検出部２２から入力面２１ａのいずれかの箇所に指５０が触れている検出データが得られると、ＳＴ２に移行する。ＳＴ２では、現在「メニュー選択モード」のフラッグが設定されているか、すなわち現在「メニュー選択モード」が設定されてメニュー画面６０が表示されている状態であるか否かを判断する。メニュー選択モードが設定されていないときには、ＳＴ３に移行し、指５０が入力面２１ａから離れたか否かを監視し、離れていないときにはＳＴ４に移行して指５０の位置が移動したかを監視する。
【００６９】
ＳＴ４において指５０が動いていないと判断したときには、ＳＴ５に移行し、指５０が触れている領域がメニュー開始領域４３，４４，４５，４６，４７のいずれかの領域であるか否かを判断する。ＳＴ５で、指５０がメニュー開始領域に触れていないと判断したとき、すなわち「メニュー選択モード」が設定されておらず、且つ指５０が操作領域４２に触れていると判断したときには、処理を終了する。このときは、指５０の接触および摺動動作に基づいて駆動検出部２２から検出データが入力パッド用ドライバ２５に与えられたときに、入力パッド用ドライバ２５では、通常の座標入力モードとして処理する。
【００７０】
ＳＴ５において、指５０が触れているのがメニュー開始領域４３，４４，４５，４６，４７のいずれかであると判断したときには、ＳＴ６に移行し、スタンバイモードを設定し（スタンバイフラッグを設定し）、カウント時刻Ｔｓを現時刻に設定する。そして、処理を終了する。
【００７１】
次のポーリングにより、駆動検出部２２から検出データが入力パッド用ドライバ２５に与えられたときに、ＳＴ２においてメニュー選択モードが設定されておらず、且つＳＴ３において、指５０が入力面２１ａから離れていないと判断され、さらにＳＴ４で指５０が移動したと判断されたときには、ＳＴ７に移行する。ＳＴ７では、移動した指５０が触れているのが、メニュー開始領域４３，４４，４５，４６，４７であるか否かを判断し、指５０が、メニュー開始領域以外の領域である操作領域４２に触れていると判断すると、ＳＴ８に移行し、スタンバイモードを解除して処理を終了する。また、ＳＴ７において、移動した指５０が触れているのがいずれかのメニュー開始領域であると判断したときには、ＳＴ６に移行し、スタンバイモードに設定して、カウント時刻Ｔｓを現時刻に設定する。
【００７２】
また、入力パッド用ドライバ２５からのポーリングにより、駆動検出部２２から検出データが得られたときに、ＳＴ２においてメニュー選択モードが設定されておらず、且つＳＴ３において指５０が入力面２１ａから離れたと検知されたときにはＳＴ９に移行する。ＳＴ９では、このときスタンバイモードが設定されているかを判断し、スタンバイモードが設定されていないときには処理を終了する。ＳＴ９においてスタンバイモードが設定されていると判断したときには、ＳＴ１０に移行する。
【００７３】
ＳＴ１０では、カウント時刻Ｔｓから一定時間（例えば０．１〜１秒間程度）経過したか否かをカウントする。一定時間が経過すると、ＳＴ１１に移行し、「メニュー選択モード」を設定する（メニュー選択モードのフラッグを設定する）とともに、スタンバイモードを初期化する。そしてＳＴ１２に移行して、図２（Ａ）に示すように、指５０が位置していたメニュー開始領域に対応するメニュー指示が選択されたものと判断し、選択されたメニュー指示に対応するメニュー画面６０を表示する。
【００７４】
また、入力パッド用ドライバ２５からのポーリングにより、駆動検出部２２から検出データが得られたときに、ＳＴ２においてメニュー選択モードが設定されているときには（図２（Ａ）に示すメニュー画面６０が表示されているときには）、図６のＳＴ２１に移行する。
【００７５】
ＳＴ２１では、入力面２１ａに触れている指５０が移動したか否か判断する。指５０が移動したことが検出されると、ＳＴ２２に移行する。ＳＴ２２では、メニュー開始領域群４１内において、指５０がＸ方向へ所定のしきい値Ｘｔよりも長い距離移動したか否か判断される。指５０が、メニュー開始領域群４１内において、しきい値ＸｔよりもＸ方向へ長く移動したと判断されると、ＳＴ２３に移行し、Ｘ１方向への移動かＸ２方向への移動かに応じて、その移動方向に位置する他のメニュー指示に対応するメニュー画面６０が表示される。
【００７６】
例えば、指５０をメニュー開始領域４４からＸ１方向へ摺動させて隣りのメニュー開始領域４５に移動させると、メニュー指示３４に対応するメニュー画面６０が消え、代わりにその隣のメニュー指示３５に対応するメニュー画面６０が表示される。さらに指５０を、メニュー開始領域４６に移動させると、その直後に、メニュー指示４５に対応するメニュー画面６０が消え、代わってメニュー指示３６に対応するメニュー画面６０が開く。このように、メニュー画面が右方向へ順番に切換えられて表示される。指５０をＸ２方向へ移動させたときも同様である。
【００７７】
さらに次のポーリングで駆動検出部２２から検出データが得られたときに、ＳＴ２２において、指５０がメニュー開始領域群４１内でＸ方向へ所定のしきい値Ｘｔよりも長く動いていないと判断すると、ＳＴ２４に移行する。ＳＴ２４では、操作領域４２において、触れている指５０がＹ方向へ所定のしきい値Ｙｔよりも長い距離移動したか否かを判断する。ＳＴ２４において、指５０が、操作領域４２で、Ｙ方向へしきい値Ｙｔよりも長い距離移動したことが検出されると、ＳＴ２５に移行し、図２（Ａ）に示すメニュー画面６０内の個別メニューが選択される。
【００７８】
指５０がＹ２方向へ移動したことが検出されると、その移動量に応じて、メニュー画面６０内で、個別メニューが６１，６２，６３，・・・の順でハイライト表示する。逆に、指５０がＹ１方向へ移動したことが検知されると、その移動量に応じて、個別メニューが６７，６６，６５，・・・の順でハイライト表示する。そして、このポーリングでの処理が終了する。
【００７９】
メニュー選択モードが設定されている状態で、ＳＴ２１において、指５０の位置が所定時間以上動いていないと検出されると、いずれかの個別メニューが選択されている状態であると判断し、ＳＴ２６に移行する。次のポーリングに対する駆動検出部２２からの検出データにより、ＳＴ２６では、選択された個別メニューに対応するプログラムを実行する操作が行われるか否かを判断する。ここでは、入力面２１ａのいずれかの箇所を指５０でワンタッピングする操作と、Ｌキー入力部２３の押圧操作のいずれか一方が検出されると、プログラムの実行操作が行われたと判断して、ＳＴ２７に移行する。ＳＴ２７では、そのときに選択されている個別メニューに対応するプログラムが実行される。この処理動作は、前記の実行操作が行われたことを入力パッド用ドライバ２５が検出したときに、その状態をＯＳ２８に通知することで実行される。
【００８０】
選択されている個別メニューに対応するプログラムが実行されると、ＳＴ２８に移行し、メニュー選択モードの設定が自動的に解除されて処理を終了する。
【００８１】
前記ＳＴ２６において、選択されている個別メニューに対応するプログラムを実行させる操作が行われないときには、ＳＴ２９に移行し、メニュー選択モードの設定が解除されたか否かを検出する。ここでは、Ｒキー入力部２４が操作されたときに、メニュー選択モードが解除されたと判断しＳＴ３０に移行する。ＳＴ３０では、メニュー画面６０の表示を消す処理が行われると共に、ＳＴ２８に移行してメニュー選択モードの設定が解除される。
【００８２】
図３は本発明の第２の実施の形態を示すものである。図３（Ａ）は表示画面に表示される表示画像（ウインドウ）３０の一例であり、図３（Ｂ）は入力パッド２１およびＬキー入力部２３とＲキー入力部２４を示す平面図である。
【００８３】
図３（Ａ）に示される表示画像３０は前記第１の実施の形態と同じである。図３（Ｂ）に示す入力パッド２１も第１の実施の形態と同じであるが、メニュー開始領域として設定されるエリアが、第１の実施の形態とは相違する。
【００８４】
第２の実施の形態では、入力パッド用ドライバ２５の管理画面を呼び出して、メニュー選択モードの設定を行う際に、入力面２１ａのいずれかの箇所にひとつのメニュー開始領域１４１がエリア設定される。図３（Ｂ）では、入力面２１ａの左上の角部に比較的小さい面積でメニュー開始領域１４１が設定される。このメニュー開始領域１４１は、入力面２１ａの他の角部にエリア設定してもよいし、または、入力面２１ａの上縁２１ｂの内側のいずれかの領域や、入力面２１ａの下縁２１ｃの内側のいずれかの領域に設定してもよい。
【００８５】
メニュー開始領域１４１の位置および広さは、前記管理画面上で自由に設定することができる。入力面２１ａでは、メニュー開始領域１４１以外の領域が操作領域１４２に設定されており、この操作領域１４２の面積は、メニュー開始領域１４１の面積よりも十分に広く設定される。
【００８６】
第２の実施の形態の入力装置およびコンピュータシステムでは、メニュー選択モードが設定されていないときに、操作領域１４２を指で操作すると、入力パッド用ドライバ２５は、駆動検出部２２から与えられる検出データに基づいて、通常の座標入力モードとして処理する。
【００８７】
また、指５０が入力面２１ａのメニュー開始領域１４１に触れ、その後に指５０を離してから一定時間（例えば０．１〜１秒間程度）経過すると、メニュー選択モードが設定される。あるいは、指５０をメニュー開始領域１４１に触れた状態が所定時間（例えば１秒間程度）継続すると、メニュー選択モードが設定される。または、指５０でメニュー開始領域１４１をタッピング操作することによりメニュー選択モードが設定される。
【００８８】
メニュー選択モードが設定されると、メニュー画面６０が表示されるが、このときには、複数のメニュー指示３３，３４，３５，３６，３７のいずれか予め決められているメニュー指示に対応するメニュー画面６０が表示される。例えば、一番左に位置するメニュー指示３３に対応したメニュー画面６０が自動的に表示される。そして、第１の実施の形態と同様に、メニュー選択モードの解除を行わない限り、メニュー選択モードが継続し、メニュー画面６０の表示が継続する。
【００８９】
その後の処理は、指５０を操作領域４２のいずれかの箇所に触れて、指５０をＹ方向へ摺動させると、メニュー画面６０内の個別メニュー６１，６２，６３，・・・が順番に選択される。また、指５０を操作領域４２内のいずれかの箇所に触れてＸ方向へ摺動させると、現在メニュー画面６０が表示されているメニュー指示３３に隣接するメニュー指示３４に対応するメニュー画面６０が表示される。そして、指５０のＸ方向への移動距離に応じて、いずれかのメニュー指示に対応するメニュー画面６０が表示されるように切換えられる。
【００９０】
また、選択された個別メニューに対応するプログラムの実行、または選択された補助メニューに対応するプログラムの実行、さらにメニュー選択モードの設定の解除の各操作に関しても、第１の実施の形態と同じである。
【図面の簡単な説明】
【００９１】
【図１】本発明の第１の実施の形態の入力装置およびコンピュータシステムを説明するものであり、（Ａ）は表示画面に表示される表示画像の一例を示す説明図、（Ｂ）は入力パッドとＬキー入力部およびＲキー入力部を示す平面図、
【図２】第１の実施の形態の入力装置およびコンピュータシステムを説明するものであり、（Ａ）は表示画面に表示される表示画像にメニュー画面が表示された状態を示す説明図、（Ｂ）はこのときの操作を説明する入力パッドとＬキー入力部およびＲキー入力部を示す平面図、
【図３】本発明の第２の実施の形態の入力装置およびコンピュータシステムを説明するものであり、（Ａ）は表示画面に表示される表示画像の一例を示す説明図、（Ｂ）は入力パッドとＬキー入力部およびＲキー入力部を示す平面図、
【図４】入力装置およびコンピュータシステムの構成を示すブロック図、
【図５】第１の実施の形態の入力装置およびコンピュータシステムの処理動作を示すフロチャート、
【図６】第１の実施の形態の入力装置およびコンピュータシステムの処理動作を示すフロチャート、
【符号の説明】
【００９２】
１  ＰＣ本体
１１  キーボード装置
１２  駆動検出部
１３  入出力インターフェース
１４  キーボード用ドライバ
２１  入力パッド
２１ａ  入力面
２２  駆動検出部
２３  Ｌキー入力部
２４  Ｒキー入力部
２５  入力パッド用ドライバ
２６  入出力インターフェース
２８  ＯＳ
２９  表示ドライバ
３０  表示画像（ウインドウ）
３１  ポインタ
３２  メニューバー
３３，３４，３５，３６，３７  メニュー指示
４１  メニュー開始領域群
４２  操作領域
４３，４４，４５，４６，４７  メニュー開始領域
５０  指
６０  メニュー画面
６１，６２，６３，６４，６５，６６，６７  個別メニュー
７０  補助メニュー画面
７１，７２，７３  補助メニュー
【図１】
2007280019.tif 000003
【図２】
2007280019.tif 000004
【図３】
2007280019.tif 000005
【図４】
2007280019.tif 000006
【図５】
2007280019.tif 000007
【図６】
2007280019.tif 000008